(57)【要約】【課題】ＰＯＩの密集エリアにおいて、現在地に基づく優先度に従って表示すべきＰＯＩアイコンの最適化を行うことができる地図表示システム及び地図表示プログラムを提供することを課題とする。【解決手段】地図を表示させる地図表示システムであって、前記地図における所定の位置を示す第１の地点に基づいて、前記地図を所定の２以上の領域に分割する分割手段と、ユーザの現在地を示す第２の地点が、前記分割された領域のいずれの領域に含まれるかに応じて、前記分割された各領域に対して、該領域における表示部品の表示を制御するための優先度を設定する優先度設定手段と、前記設定された優先度に従って前記表示部品を表示させた地図を表示部に表示させる表示手段と、を有することにより、上記課題を解決する。【選択図】  図８
2015184517.tif 000002
【特許請求の範囲】
【請求項１】
地図を表示させる地図表示システムであって、
前記地図における所定の位置を示す第１の地点に基づいて、前記地図を所定の２以上の領域に分割する分割手段と、
ユーザの現在地を示す第２の地点が、前記分割された領域のいずれの領域に含まれるかに応じて、前記分割された各領域に対して、該領域における表示部品の表示を制御するための優先度を設定する優先度設定手段と、
前記設定された優先度に従って前記表示部品を表示させた地図を表示部に表示させる表示手段と、
を有する地図表示システム。
【請求項２】
前記優先度設定手段は、
前記第２の地点が含まれる領域の優先度を高く設定する一方、前記第２の地点が含まれる領域と異なる領域の優先度を低く設定する、請求項１記載の地図表示システム。
【請求項３】
前記優先度設定手段は、
さらに、前記第２の地点が含まれる領域と異なる領域について、前記第２の地点が含まれる領域からの距離に応じた優先度をそれぞれ設定する、請求項２記載の地図表示システム。
【請求項４】
前記優先度設定手段は、
ユーザの現在地を示す第２の地点が、前記分割された領域のいずれの領域に含まれるかに応じて、前記分割された各領域に含まれる表示部品に対して、該表示部品の表示を制御するための優先度を設定する、請求項１記載の地図表示システム。
【請求項５】
前記優先度設定手段は、
前記第２の地点からの前記表示部品までの距離に応じて、該表示部品の表示を制御するための優先度を設定する、請求項４記載の地図表示システム。
【請求項６】
前記表示手段は、
前記分割された各領域に設定された優先度に従って、該領域に含まれる表示部品が前記地図に表示される数を制限する、請求項１ないし３のいずれか１項に記載の地図表示システム。
【請求項７】
前記表示手段は、
前記分割された各領域に設定された優先度に従って、優先度が高い領域に含まれる表示部品の数が優先度が低い領域に含まれる表示部品の数よりも多くなるように、前記領域に含まれる表示部品が前記地図に表示される数を制限する、請求項６記載の地図表示システム。
【請求項８】
前記表示手段は、
前記領域の優先度が所定の場合、該領域に含まれる表示部品が前記地図に表示されるのを抑制する、請求項１ない７のいずれか１項に記載の地図表示システム。
【請求項９】
地図を表示させるコンピュータを、
前記地図における所定の位置を示す第１の地点に基づいて、前記地図を所定の２以上の領域に分割する分割手段、
ユーザの現在地を示す第２の地点が、前記分割された領域のいずれの領域に含まれるかに応じて、前記分割された各領域に対して、該領域における表示部品の表示を制御するための優先度を設定する優先度設定手段、
前記設定された優先度に従って前記表示部品を表示させた地図を表示部に表示させる表示手段、
として機能させるための地図表示プログラム。
【発明の詳細な説明】
【技術分野】
【０００１】
本発明は、地図表示システム及び地図表示プログラムに関する。
【背景技術】
【０００２】
従来より、地図表示システムが知られている。このような地図表示システムにおいて、ある施設等の出入口から近い施設等をリスト化して表示する技術が知られている（例えば特許文献１参照）。
【先行技術文献】
【特許文献】
【０００３】
【特許文献１】特開２０１１−２２６７８１号公報
【発明の概要】
【発明が解決しようとする課題】
【０００４】
しかしながら、上記の従来技術においては、施設等の出入口が複数ある場合、利用する出入口を判断するのが困難であった。例えば、駅を経由して目的地に向かう場合において、この駅の出入口が複数、しかも多数あるとき、ユーザは、地図上に表示される複数の出入口のいずれを利用すればよいのか判断するのが困難であった。
【０００５】
また、このような問題は出入口に限られず、同一種類の施設（例えば、コンビニなど）が数多く密集しているエリアでは、地図上、同一種類の施設を示すアイコンが数多く密集して表示されるため、施設を探しにくかったり、施設を選択しにくいという問題がある。
【０００６】
本発明の実施の形態は、上記の点に鑑みてなされたものであり、ＰＯＩ（Point of Interest）の密集エリアにおいて、現在地に基づく優先度に従って表示すべきＰＯＩアイコンの最適化を行うことを目的とする。
【課題を解決するための手段】
【０００７】
上記目的を達成するため、本発明の実施の形態は、地図を表示させる地図表示システムであって、前記地図における所定の位置を示す第１の地点に基づいて、前記地図を所定の２以上の領域に分割する分割手段と、ユーザの現在地を示す第２の地点が、前記分割された領域のいずれの領域に含まれるかに応じて、前記分割された各領域に対して、該領域における表示部品の表示を制御するための優先度を設定する優先度設定手段と、前記設定された優先度に従って前記表示部品を表示させた地図を表示部に表示させる表示手段と、を有することを特徴とする。
【発明の効果】
【０００８】
本発明の実施の形態によれば、ＰＯＩの密集エリアにおいて、現在地に基づく優先度に従って表示すべきＰＯＩアイコンの最適化を行うことができる。
【図面の簡単な説明】
【０００９】
【図１】本実施形態に係る地図表示システムの一例の構成図である。
【図２】本実施形態に係る地図表示システムの一例のハードウェア構成図である。
【図３】本実施形態に係る地図表示システムの一例のソフトウェア構成図である。
【図４】本実施形態に係る地図表示処理の一例のフローチャートである。
【図５】地図の分割態様の一例を示す図（その１）である。
【図６】地図の分割態様の一例を示す図（その２）である。
【図７】地図の分割態様の一例を示す図（その３）である。
【図８】優先度の設定の一例を示す図である。
【図９】地図表示画面に表示される地図情報の一例を示す図である。
【発明を実施するための形態】
【００１０】
次に、本発明の実施の形態について、図面を参照しつつ詳細に説明する。
【００１１】
＜システム構成＞
まず、本実施形態に係る地図表示システムのシステム構成について説明する。図１は、本実施形態に係る地図表示システムの一例の構成図である。図１の地図表示システム１００は、地図表示サーバ１と、地図表示端末２とがネットワーク３を介して接続されている。
【００１２】
地図表示サーバ１は、地図表示端末２からの要求に応じて、地図表示端末２に対して地図情報を提供する情報処理装置である。なお、図１において地図表示サーバ１は、１台の情報処理装置で構成されているが、これに限られず、複数台の情報処理装置で構成されていてもよい。また、地図表示システム１００は、地図表示サーバ１のみを有する構成であってもよい。すなわち、本実施形態に係る地図表示システム１００の各種処理をすべて地図表示サーバ１のみで実現する構成であってもよい。
【００１３】
地図表示端末２は、ユーザが利用する地図表示端末である。地図表示端末２は、例えば、スマートフォンやタブレット端末、携帯電話、ナビゲーション端末、ノート型ＰＣ（Personal Computer）、デスクトップ型ＰＣ、ゲーム機器、ウェアラブル端末などの各種の情報処理装置である。ユーザは、地図表示端末２を操作して、出発地（又は、現在地）や経由地、目的地などの条件を入力し、地図表示サーバ１に対して地図の表示要求を行い、地図表示サーバ１から地図情報を受け取ることで地図を表示させることができる。なお、図１においては、一例として、地図表示システム１００が１台の地図表示端末２を有する構成が示されているが、これに限られず、地図表示システム１００は、複数台の地図表示端末２を有する構成であってもよい。
【００１４】
また、地図表示システム１００は、地図表示端末２のみを有する構成であってもよい。すなわち、本実施形態に係る地図表示システム１００の各種処理をすべて地図表示端末２のみで実現する構成であってもよい。
【００１５】
ネットワーク３は、有線、無線を含む通信ネットワークである。ネットワーク３は、例えば、電話回線網、ＷｉＦｉ、インターネットなどを含む。
【００１６】
＜ハードウェア構成＞
次に、本実施形態に係る地図表示システムのハードウェア構成について説明する。図２は、本実施形態に係る地図表示システムの一例のハードウェア構成図である。
【００１７】
地図表示サーバ１は、ハードウェア構成として、図２に示されるように、ＣＰＵ（Central Processing Unit）１１、ＲＯＭ（Read Only Memory）１２、ＲＡＭ（Random Access Memory）１３、ＨＤＤ（Hard Disk Drive）１４、入力装置１５、表示装置１６、通信装置１７を有する。
【００１８】
また、地図表示端末２は、ハードウェア構成として、図２に示されるように、ＣＰＵ１１、ＲＯＭ１２、ＲＡＭ１３、ＨＤＤ１４、入力装置１５、表示装置１６、通信装置１７、音声入出力装置１８、ＧＰＳ（Global Positioning System）受信装置１９を有する。
【００１９】
ＣＰＵ１１は、各種プログラムの実行や演算処理を行う。ＲＯＭ１２は、起動時に必要なプログラムなどが記憶されている。ＲＡＭ１３は、ＣＰＵ１１での処理を一時的に記憶したり、データを記憶したりする作業エリアである。ＨＤＤ１４は、各種データ及びプログラムを格納する。入力装置１５は、例えばキーボードやマウスなどの各種入力装置である。表示装置１６は、ディスプレイなどであり、地図等が表示される。通信装置１７は、ネットワーク３を介し、地図表示サーバ１などの他装置との通信を行う。音声入出力装置１８は、例えばマイク装置やスピーカ装置などから構成される、音声の入出力を行う装置である。ＧＰＳ受信装置１９は、地図表示端末２の現在位置する位置情報をＧＰＳ衛星より受信する。
【００２０】
なお、地図表示サーバ１は、入力装置１５及び／又は表示装置１６を必ずしも有していなくてもよい。また、地図表示端末２は、例えばスマートフォンやタブレット端末でもありうるため、入力装置１５は、キーボードやマウスに代え、画面上のタップ座標（タッチ座標）を検知可能なタッチパネルにより実現されうる。またこの場合、入力操作は、画面上のタッチパネルと、プログラムにより制御されるソフトウェアキー等とにより実現される。
【００２１】
本実施形態に係る地図表示サーバ１及び地図表示端末２は、例えば上記のハードウェア構成を有することにより、後述するような各種処理を実現できる。
【００２２】
＜ソフトウェア構成＞
次に、本実施形態に係る地図表示システム１００のソフトウェア構成について説明する。図３は、本実施形態に係る地図表示システムの一例のソフトウェア構成図である。地図表示システム１００は、主な機能部として、入力部１０１と、記憶部１０２と、地図情報取得部１０３と、領域分割部１０４と、優先度設定部１０５と、表示制御部１０６と、表示部１０７とを有する。
【００２３】
入力部１０１は、ユーザにより入力される各種情報を受け付ける。入力部１０１は、例えば入力装置１５や音声入出力装置１８等により実現される。ユーザにより入力される各種情報は、例えば、地図を表示させるための現在地、出発地、目的地、経由地などの各種条件の情報である。なお、入力部１０１には、例えば不図示のＧＰＳ情報取得部から取得された地図表示端末２の位置情報を現在地として入力してもよい。
【００２４】
記憶部１０２は、地図情報やこの地図情報に表示される各種アイコン等の表示部品、各種施設に関する情報などの各種情報を記憶する。記憶部１０２は、例えばＨＤＤ１４、又は地図表示サーバ１とネットワークを介して接続される記憶装置等により実現される。
【００２５】
地図情報取得部１０３は、入力部１０１から入力された各種情報に基づいて、記憶部１０２から地図情報を取得する。地図情報取得部１０３は、例えばＣＰＵ１１等により実現される。地図情報取得部１０３は、例えば、入力部１０１から入力された現在地や経由地、目的地の情報に基づいて記憶部１０２から地図情報を取得する。
【００２６】
領域分割部１０４は、地図情報取得部１０３が取得した地図情報を複数の所定の領域に分割する。領域分割部１０４は、例えばＣＰＵ１１等により実現される。領域分割部１０４は、例えば、地図情報取得部１０３が取得した地図情報を、目的地を中心に複数の領域に分割する。
【００２７】
優先度設定部１０５は、領域分割部１０４により分割された地図情報の各領域と、現在地の情報とに基づき、各領域の優先度を設定する。優先度設定部１０５は、例えばＣＰＵ１１等により実現される。優先度設定部１０５は、領域分割部１０４により分割された各領域について、例えば現在地を含む領域の優先度を高く設定し、その他の領域の優先度を現在地からの距離に応じて中程度又は低く設定する。
【００２８】
表示制御部１０６は、地図情報及びこの地図情報上に表示される各種施設を示す各種表示部品について、優先度設定部１０５が設定した優先度に従った表示を行うように制御する。表示制御部１０６は、ＣＰＵ１１や表示装置１６等により実現される。表示制御部１０６は、例えば優先度が高い領域に含まれる表示部品はすべて表示する一方、優先度が低い領域に含まれる表示部品は表示数を減らす等の制御を行う。ここで、本実施形態における表示部品は、ユーザが目的地としている施設やこの目的地に向かうために利用する施設（例えば駅など）などの出入口を示す表示部品などである。なお、表示部品は、いわゆるＰＯＩであってもよい。すなわち、表示部品は、目的地やこの目的地に向かうために利用する施設を示す表示部品であってもよいし、さらには、コンビニやデパード、ガソリンスタンド、その他各種観光名所等を示す表示部品であってもよい。
【００２９】
表示部１０７は、表示制御部１０６の制御に従って、地図表示端末２の表示装置１６に地図情報を表示させる。表示部１０７は、例えば表示装置１６等により実現される。
【００３０】
＜処理の詳細＞
次に、本実施形態に係る地図表示システムの処理の詳細について説明する。本実施形態に係る地図表示システム１００は、地図上に表示される目的地や経由地などの施設（例えば駅）において、この施設の周辺に、他の施設（例えば駅の出入口）が複数ある場合に、ユーザの現在地に基づく優先度に応じて、これらの他の施設を示す表示部品の表示を制御する。すなわち、例えば駅の周辺にこの駅の出入口を示すアイコンが複数、しかも多数存在する場合、ユーザはいずれの出入口を利用すればよいのか判断することが困難である。したがって、本実施形態では、ユーザの現在地に基づき、これらの出入口を含む所定の領域に優先度を設定し、優先度の低い領域に含まれる出入口を非表示（又は表示数を減ずる）等することで、ユーザが利用する出入口の判断を容易にすることができる。以降では、一例として、ユーザが目的地として駅を設定し、この駅の出入口を示す表示部品の表示を制御する場合について説明する。図４は、本実施形態に係る地図表示処理の一例のフローチャートである。
【００３１】
ステップＳ１１において、ユーザは、地図表示端末２から地図情報の表示操作を行う。これは、例えば地図表示端末２に搭載されているＷｅｂブラウザ（不図示）や地図表示アプリケーション（不図示）を介して行うことができる。また、このとき、地図表示端末２の入力部１０１は、ユーザが例えば現在地、目的地、経由地などの情報を入力すると、これらの情報を受け付ける。なお、地図表示端末２の入力部１０１は、例えば不図示のＧＰＳ情報取得部を介して地図表示端末２の位置情報を取得し、この取得した位置情報を現在地として入力してもよい。地図表示端末２の入力部１０１で受け付けられた各種情報等は、ネットワーク３を介して、地図表示サーバ１に送信される。
【００３２】
なお、上記では、ユーザが地図表示端末２を操作して各種情報を入力したが、ユーザは地図表示サーバ１を操作してもよい。この場合、地図表示サーバ１の入力部１０１で受け付けられた各種情報等は、後述のステップＳ１２において、ネットワーク３を介さずに地図情報取得部１０３に渡される。
【００３３】
ステップＳ１２において、地図情報取得部１０３は、ネットワーク３を介して、ユーザから入力された各種情報等を受け付けると、記憶部１０２から地図情報等を取得する。例えば、地図情報取得部１０３は、受け付けた各種情報に含まれる現在地や目的地などに応じた地図情報を取得する。また、地図情報取得部１０３は、現在地や目的地、経由地、経路等を示すアイコン、目的地（例えば駅）の出入口や周辺施設を示すアイコン等の各種表示部品も取得し、これらのアイコンを地図情報にマッピングする。
【００３４】
ステップＳ１３において、領域分割部１０４は、上記のステップＳ１２で取得した地図情報を複数の所定の領域に分割する。領域分割部１０４が地図情報を分割した際の分割態様は様々なものが考えられる。以下にいくつか例を示す。
【００３５】
領域分割部１０４は、例えば図５に示すように、目的地を中心に４つの領域に地図情報を分割する。図５は、地図の分割態様の一例を示す図（その１）である。図５に示す地図情報１０００は、ユーザが目的地として駅を設定した場合である。図５に示される地図情報１０００は、目的地である駅を示す目的地１２００を中心に、上下、左右の４つの領域（領域１００１〜領域１００４）に地図情報１０００を分割している。なお、例えば目的地である駅の代表点（例えば質量中心となる点など）を目的地１２００とすればよい。ここで、現在地１１００は、ユーザの現在地を示している。また、表示部品１３０１〜１３０４は、それぞれ各領域１００１〜１００４における目的地である駅の出入口の位置を示している。
【００３６】
また、領域分割部１０４は、例えば図６に示すように、目的地を中心に４つの領域に地図情報を分割してもよい。図６は、地図の分割態様の一例を示す図（その２）である。図６に示される地図情報２０００は、目的地である駅を示す目的地２２００を通り、かつ、２直線間の角度がθである２直線で分割した例である。ここで、現在地２１００は、ユーザの現在地を示している。また、表示部品２３０１〜２３０４は、それぞれ各領域２００１〜２００４における目的地である駅の出入口の位置を示している。なお、２直線間の角度θは任意の角度でよい。例えばθが０であれば、この地図情報２０００は、２つの領域に分割される。
【００３７】
また、領域分割部１０４は、例えば図７に示すように、道路や鉄道に沿って地図情報を分割してもよい。図７は、地図の分割態様の一例を示す図（その３）である。図７に示される地図情報３０００は、目的地である駅を示す目的地３２００の周辺の道路及び鉄道に沿った２つの線分で分割した例である。ここで、現在地３１００は、ユーザの現在地を示している。また、表示部品３３０１〜３３０４は、それぞれ各領域３００１〜３００４における目的地である駅の出入口の位置を示している。なお、道路や鉄道の他、河川などに沿った線分で分割してもよい。また、分割するための道路は、幹線道路や高速道路などであることが好ましい。また、分割するための道路は、車線数や道路幅を考慮して選択するようにしてもよい。幹線道路や高速道路、車線数が多い道路、道路幅が広い道路などはユーザが横断等することが困難であるため、このような道路に沿って地図情報を分割することで、後述する処理において適切な優先度を設定することができる。
【００３８】
なお、上記では、地図上に表示されるアイコン等の表示部品は、目的地である駅の出入口の位置を示す表示部品である例を示したが、これに限られない。表示部品は、例えばコンビニやガソリンスタンド等の各種施設の位置を示す表示部品であってもよい。また、上記では、ユーザが目的地に駅を設定した場合について説明したが、これに限られない。例えば、経由地に駅が設定された場合であってもよいし、駅に限られず、デパートやショッピングモール等であってもよい。なお、ユーザの現在地の代わりに、ユーザが入力等した出発地であってもよい。
【００３９】
ここで、上記ではいずれも地図情報を４つの領域に分割した例を示したが、分割する領域の数は２以上であれば任意の数の領域に分割してよい。
【００４０】
次に、ステップＳ１４において、優先度設定部１０５は、上記のステップＳ１３で分割した各領域について、現在地に基づいて、各領域に含まれる表示部品の表示を制御するための優先度を設定する。すなわち、優先度設定部１０５は、現在地が含まれる領域については優先度を高く設定し、他方、現在地が含まれない領域については現在地からの距離等に応じて優先度を低く設定する。これにより、後述するステップＳ１５において、優先度に応じて、優先度の低い領域の表示部品を表示させない（又は表示させる数を減らす）ことができる。したがって、地図表示端末２の表示装置１６には、現在地から近い位置にある施設等を示すアイコンが表示される一方、現在地から遠い位置にある施設等を示すアイコンは表示されない（又は表示される数が少ない）。このため、ユーザは、地図上に表示された施設等のうちいずれの施設等を利用すればよいのかについて容易に選択することができるようになる。
【００４１】
ここで、上記のステップＳ１４における優先度の設定について、一例として、ステップＳ１３において領域分割部１０４は、図５に示されたように、目的地１２００を中心に上下、左右の４つの領域（領域１００１〜領域１００４）に地図情報１０００を分割した場合について説明する。優先度設定部１０５は、例えば図８に示されるように、各領域（領域１００１〜領域１００４）について優先度を設定する。すなわち、優先度設定部１０５は、現在地から最も遠い領域１００１を「優先度  低」と設定する。また、優先度設定部１０５は、現在地が含まれる領域１００３を「優先度  高」に設定する。また、それら以外の領域である領域１００２及び領域１００４は「優先度  中」と設定する。このように設定することで、例えば「優先度  高」の領域における表示部品はすべて表示させる一方、「優先度  低」の領域における表示部品は表示させないようすることができる。なお、「優先度  中」の領域における表示部品は、例えば表示部品を半分だけ表示させるようにすることができる。ここで、現在地から最も遠い領域とは、例えば現在地を含む領域と対角線上にある領域、現在地を含む領域と反対側にある領域、現在地から各領域までの最短距離が最も遠い領域などである。
【００４２】
なお、上記では、優先度設定部１０５は、各領域に優先度を設定したが、各領域に含まれる施設等の位置を示す表示部品の１つ１つに対して優先度を設定してもよい。これにより、１つの領域に含まれる各表示部品について異なる優先度を設定することができる。したがって、例えば現在地から遠い領域に含まれる施設であっても、利用者数が多い駅の出入口や多くの人が訪れるような人気ある施設等の優先度を高く設定することができる。すなわち、例えば各種施設等の位置を示す表示部品がいわゆるＰＯＩである場合に、このＰＯＩの利用者数に応じて優先度を設定してもよい。また、さらに、この場合、例えば現在地から各表示部品までの距離にも応じて優先度を設定してもよい。
【００４３】
また、上記では優先度を「高」「中」「低」で設定したが、数値などで優先度を表示してもよい。これにより、例えば、優先度「１」の表示部品は表示させず、優先度「２」の表示部品は３分の１の数を表示させ、優先度「３」の表示部品は半分の数を表示させる、といった具合に段階的に表示部品の表示数を制限するように制御することができる。
【００４４】
続いて、ステップＳ１５において、表示制御部１０６は、上記のステップＳ１４において設定した優先度に従って表示部１０７に地図情報を表示させる。すなわち、例えば、表示制御部１０６は、表示部１０７に図９に示すような地図情報４０００を表示させる。図９に示される地図情報４０００は、図８で示される優先度が設定された場合に表示される地図情報の一例である。
【００４５】
図９に示される地図情報４０００において、「優先度  低」である領域４００１には目的地である駅の出入口を示す表示部品が表示されていない。これは、現在地４３０３から最も遠い領域に位置する出入口はユーザが利用する可能性が低いためである。また、「優先度  中」である領域４００２及び領域４００４では、目的地である駅の出入口を示す表示部品４３０２及び表示部品４３０３が半分の数だけ表示されている。他方、「優先度  高」である現在地が含まれる領域４００３では、目的地である駅の出入り口を示す表示部品４３０３は、そのままの数が表示されている。なお、「優先度  高」である領域４００３において表示される表示部品を、例えば点滅させる、強調表示させる等の表示制御を行ってもよい。
【００４６】
このように、現在地から遠い領域に存在する出入口等の施設は、ユーザが利用する頻度が低いと考えられるため、このような施設を示す表示部品の表示を抑制することで、利用する施設をユーザが容易に選択することができる。なお、優先度が数値で表されている場合は、例えば優先度が第１の所定値未満の場合、表示させずに、第１の所定値以上かつ第２の所定値未満の場合、表示数を減らすようにしてもよい。
【００４７】
なお、上記のような表示制御は、地図表示サーバ１で行ってもよいし、地図表示端末２で行ってもよい。すなわち、地図表示サーバ１において優先度の低い表示部品を非表示又は表示数を減らした上で地図情報を地図表示端末２に送信し、地図表示端末２において受信した地図情報を表示部１０７に表示させてもよいし、地図表示端末２において優先度の低い表示部品を非表示又は表示数を減らした上で地図情報を表示部１０７に表示させてもよい。
【００４８】
＜まとめ＞
以上より、本実施形態に係る地図表示システムは、目的地や経由地等の所定の地点を基準として地図情報を複数の所定の領域に分割し、現在地や出発地等の所定の地点に基づいて、これらの分割した各領域に優先度を設定する。そして、設定した優先度に応じて、各領域に表示される施設等を示す表示部品の表示を非表示にしたり、表示数を減ずる等の制御を行う。すなわち、ユーザが利用する可能性が低いと考えられる施設等を示す表示部品は非表示又は表示を減らす一方、ユーザが利用する可能性が高いと考えられる施設等を示す表示部品は通常通り表示される。したがって、施設等を示す表示部品が地図上に複数、しかも多数表示されるような場合において、本実施形態に係る地図表示システムでは、ユーザが利用する可能性に応じて適宜表示数を調整する。よって、ユーザは、自身が利用する施設等を容易に選択することができるようになる。
【００４９】
なお、領域分割部１０４は、分割手段の一例である。優先度設定部１０５は、優先度設定手段の一例である。表示制御部１０６及び表示部１０７は、表示手段の一例である。目的地１２００、目的地２２００、目的地３２００は、第１の地点の一例である。現在地１１００、現在地２１００、現在地３１００は、第２の地点の一例である。
【００５０】
本発明は、具体的に開示された上記の実施形態に限定されるものではなく、特許請求の範囲から逸脱することなく、種々の変形や変更が可能である。
【符号の説明】
【００５１】
１        地図表示サーバ
２        地図表示端末
１１      ＣＰＵ
１２      ＲＯＭ
１３      ＲＡＭ
１４      ＨＤＤ
１５      入力装置
１６      表示装置
１７      通信装置
１８      音声入出力装置
１９      ＧＰＳ受信装置
１００    地図表示システム
１０１    入力部
１０２    記憶部
１０３    地図情報取得部
１０４    領域分割部
１０５    優先度設定部
１０６    表示制御部
１０７    表示部
【図１】
2015184517.tif 000003
【図２】
2015184517.tif 000004
【図３】
2015184517.tif 000005
【図４】
2015184517.tif 000006
【図５】
2015184517.tif 000007
【図６】
2015184517.tif 000008
【図７】
2015184517.tif 000009
【図８】
2015184517.tif 000010
【図９】
2015184517.tif 000011